(57)【要約】【目的】遊技機の構造を変更することなく、隣接する遊技機の演出音が遊技者の耳に入るのを防止することができ、該当遊技機の演出音のみを聴くことを可能にする。【構成】合成樹脂製で椀状の一対の集音カップ８と、それぞれの集音カップに接続された集音チューブ９と、各集音チューブの他端に接続されたイヤホーン１０とを備え、前記集音カップを遊技機のスピーカに配設した構成。【選択図】図２
2006095129.tif 000002
【特許請求の範囲】
【請求項１】
合成樹脂製で椀状の一対の集音カップと、それぞれの集音カップに接続された集音チューブと、各集音チューブの他端に接続されたイヤホーンとを備え、前記集音カップを遊技機のスピーカに配設したことを特徴とする遊技機用集音装置。
【請求項２】
前記集音カップを、押圧することにより吸着される吸着カップで形成したことを特徴とする請求項１記載の遊技機用集音装置。
【請求項３】
前記集音カップの上部および下部には上部突起片および下部突起片が形成され、前記上部突起片には係合穴が形成され、下部突起片には重りを配設したことを特徴とする請求項１記載の遊技機用集音装置。
【請求項４】
前記集音チューブの途中には接続カップリングが装着され、該接続カップリングは２つの部材が着脱自在にされており、それぞれの部材に集音チューブが接続され、イヤホーンを切り離し可能にしたことを特徴とする請求項１ないし３のいずれかに記載の遊技機用集音装置。
【発明の詳細な説明】
【技術分野】
【０００１】
本発明は、パチンコ機、パチスロ機等の遊技機に使用される集音装置に関する。
【背景技術】
【０００２】
パチンコ機、パチスロ機等の遊技機においては、遊技者への臨場感を高め、あるいは遊技者に対して種々の興味を惹かせるため、遊技機にスピーカを設置し、種々の演出音（音楽、効果音等）を発するようにしている。特に、当たりと称する遊技状態、すなわち所定数の賞球あるいはメダル等が支払われる利益状態では、特に音量の大きな演出音を発し、遊技の趣向を一層高めるようにしている。さらに、近年、遊技機に液晶画面を設置し、登場するキャラクタの音声等、音出力が多岐にわたっており、音出力の重要性が増している。
【０００３】
ところが、遊技機にスピーカを設置すると、隣接する遊技機の演出音も遊技者の耳にも入りやすくなり、不快感を伴ったり、前記利益状態の演出音を混同してしまうという問題を有している。これを解決するために、特許文献１においては、スピーカのコーン部を遊技機の後部に向けて設置し、スピーカから発する音を反射板により反射させて遊技者に伝える方式を提案している。なお、パチンコ機、パチスロ機等の遊技機においては、不正行為や不正競業の防止から種々の法規制があり、特に遊技機の制御ユニットの信号の外部への取り出しは禁止されているためイヤホーンの設置はできない。
【特許文献１】特開２００３−１８０９５６
【発明の開示】
【発明が解決しようとする課題】
【０００４】
しかしながら、上記特許文献１の方式においては、スピーカから発する音を反射させるだけなので、隣接する遊技機の演出音が入りやすいという基本的な問題は解消することができない。また、遊技機の構造を変更しなければならずコスト高になるという問題を有している。
【０００５】
本発明は、上記従来の問題を解決するものであって、遊技機の構造を変更することなく、隣接する遊技機の演出音が遊技者の耳に入るのを防止することができ、該当遊技機の演出音のみを聴くことができる遊技機用集音装置を提供することを目的とする。
【課題を解決するための手段】
【０００６】
そのために本発明の遊技機用集音装置は、合成樹脂製で椀状の一対の集音カップと、それぞれの集音カップに接続された集音チューブと、各集音チューブの他端に接続されたイヤホーンとを備え、前記集音カップを遊技機のスピーカに配設したことを特徴とする。
また、前記集音カップを、押圧することにより吸着される吸着カップで形成したことを特徴とする。
また、前記集音カップの上部および下部には上部突起片および下部突起片が形成され、前記上部突起片には係合穴が形成され、下部突起片には重りを配設したことを特徴とする。
また、前記集音チューブの途中には接続カップリングが装着され、該接続カップリングは２つの部材が着脱自在にされており、それぞれの部材に集音チューブが接続され、イヤホーンを切り離し可能にしたことを特徴とする
【発明の効果】
【０００７】
本発明によれば、遊技機の構造を変更することなく、隣接する遊技機の演出音が遊技者の耳に入るのを防止することができ、該当遊技機の演出音のみを聴くことができる。
【発明を実施するための最良の形態】
【０００８】
以下、本発明の実施形態を図面を参照しつつ説明する。図１〜図３は、本発明の遊技機用集音装置の１実施形態を示し、図１（Ａ）は本発明に係わる集音装置を遊技機に取り付けた状態を示す側面図、図１（Ｂ）は正面図である。
【０００９】
図１において、設置ベース１には遊技機２が設置され、遊技者３は椅子４に腰掛けている。遊技機２の下部（又は上部）には２つのスピーカ５が装着され、スピーカ５の上部には係止具６が固定されている。本発明に係わる集音装置７は、集音カップ８とこれに接続され集音チューブ９とからなり、集音チューブ９の端部は遊技者３の耳に装着されている。
【００１０】
図２は図１の集音装置の全体構成を示す斜視図である。合成樹脂製で椀状の一対の集音カップ８には、それぞれ集音チューブ９が接続され、集音チューブ９の他端にはイヤホーン１０が接続されている。集音チューブ９の途中には接続カップリング１１が装着されている。この接続カップリング１１は２つの部材が着脱自在にされており、それぞれの部材に集音チューブ９が接続され、これによりイヤホーン１０を切り離し次の遊技者のために洗浄ができるようにしている。
【００１１】
図３は集音カップの詳細を示し、図３（Ａ）は正面図、図３（Ｂ）は断面図である。集音カップ８の上部および下部には上部突起片８ａおよび下部突起片８ｃが形成され、上部突起片８ａには係合穴８ｂが形成され、この係合穴８ｂを図１の係止具６に引っかけることにより、集音カップ８を遊技機２のスピーカ５に配設可能にしている。また、下部突起片８ｃには重り８ｄを配設し、これにより集音カップ８をスピーカ５に密着させ集音効果を高めるようにしている。図４はイヤホーン１０の集音チューブ９への接続構造を示す図である。
【００１２】
以上、本発明の実施形態について説明したが、本発明はこれに限定されるものではなく、種々の変更が可能である。例えば、上記実施形態においては、上部突起片８ａの係合穴８ｂを係止具６に引っかけることにより、集音カップ８を遊技機２に係止可能にしているが、椀状の集音カップを、押圧することにより吸着される周知の吸着カップで形成し、集音カップ８をスピーカ５に押圧することにより、遊技機２のスピーカ５に吸着させるようにしてもよい。この場合には、下部突起片８ｃおよび重り８ｄも不要になる。
【図面の簡単な説明】
【００１３】
【図１】本発明の１実施形態を示し、図１（Ａ）は本発明に係わる集音装置を遊技機に取り付けた状態を示す側面図、図１（Ｂ）は正面図である。
【図２】図１の集音装置の全体構成を示す斜視図である。
【図３】集音カップの詳細を説明するための図である。
【図４】イヤホーンの接続構造を示す図である。
【符号の説明】
【００１４】
２…遊技機、５…スピーカ、６…係止具、７…集音装置
８…集音カップ、８ａ、８ｃ…突起片、８ｂ…係合穴、８ｄ…重り
９…集音チューブ、１０…接続カップリング、１１…イヤホーン
【図１】
2006095129.tif 000003
【図２】
2006095129.tif 000004
【図３】
2006095129.tif 000005
【図４】
2006095129.tif 000006